(57)【要約】  本発明は、血管構造の合成表現を提供する装置に関する。患者の身体部分の血管構造の２Ｄ  Ｘ線画像データを含む少なくとも１つの２Ｄ  Ｘ線画像が提供される（２１０）。身体部分の３Ｄモデルが提供される（２２０）。３Ｄモデルは、３Ｄモデル化された血管構造を含む。身体部分の３Ｄモデルの２Ｄ投影が決定される（２３０）。身体部分の３Ｄモデルの２Ｄ投影は、３Ｄモデル化された血管構造の２Ｄ投影を含む。身体部分の３Ｄモデルが変換される（２４０）。身体部分の３Ｄモデルの変換には、身体部分の変換された３Ｄモデルに関連付けられる３Ｄモデル化された血管構造の２Ｄ投影が、患者の身体部分の血管構造の２Ｄ  Ｘ線画像データを表すような身体部分の３Ｄモデルの姿勢の決定が含まれる。診査報告書が、３Ｄモデルから決定される情報に基づいて生成される（２５０）。
2019500156.tif 000002
【特許請求の範囲】
【請求項１】
血管構造の合成表現を提供する装置であって、
入力ユニットと、
処理ユニットと、
を含み、
前記入力ユニットは、患者の身体部分の血管構造の２次元Ｘ線画像データを含む少なくとも１つの２次元Ｘ線画像を提供し、
前記入力ユニットは、前記身体部分の３次元モデルを提供し、
前記３次元モデルは、３次元モデル化された血管構造を含み、前記３次元モデルは、前記身体部分の一般モデルであり、
前記処理ユニットは、前記身体部分の前記３次元モデルの２次元投影を決定し、前記身体部分の前記３次元モデルの前記２次元投影は、前記３次元モデル化された血管構造の２次元投影を含み、
前記処理ユニットは、前記身体部分の前記３次元モデルを変換し、前記身体部分の前記３次元モデルの前記変換は、前記身体部分の変換された前記３次元モデルに関連付けられる前記３次元モデル化された血管構造の２次元投影が、前記患者の前記身体部分の前記血管構造の前記２次元Ｘ線画像データを表すような前記身体部分の前記３次元モデルの姿勢の決定を含み、
前記処理ユニットは、前記３次元モデルから決定される情報に基づいて、診査報告書を生成する、装置。
【請求項２】
前記入力ユニットは、前記少なくとも１つの２次元Ｘ線画像を取得するために使用されたＸ線取得ユニットの幾何学的形状に関する情報を提供し、前記身体部分の前記３次元モデルの前記変換は、前記Ｘ線取得ユニットの前記幾何学的形状に関する前記情報の利用を含む、請求項１に記載の装置。
【請求項３】
前記身体部分の前記３次元モデルの前記変換は、スケーリング係数の適用を含む、請求項１又は２に記載の装置。
【請求項４】
前記スケーリング係数は、アフィンスケーリング係数を含む、請求項３に記載の装置。
【請求項５】
前記身体部分の前記３次元モデルの前記変換は、前記身体部分の前記３次元モデルの並進を含む、請求項１乃至４の何れか一項に記載の装置。
【請求項６】
前記身体部分の前記３次元モデルの前記変換は、前記身体部分の前記３次元モデルの回転を含む、請求項１乃至５の何れか一項に記載の装置。
【請求項７】
前記身体部分の前記３次元モデルの前記変換は、前記血管構造の前記２次元Ｘ線画像データに対する前記身体部分の前記３次元モデルの前記２次元投影の位置合わせを含む、請求項１乃至６の何れか一項に記載の装置。
【請求項８】
前記処理ユニットは、前記身体部分の変換された前記３次元モデルに関連付けられる前記３次元モデル化された血管構造の前記少なくとも１つの２次元投影にユーザが注釈を付けることを可能にし、前記処理ユニットは、前記身体部分の前記３次元モデルの前記３次元モデル化された血管構造に、前記注釈を適用する、請求項１乃至７の何れか一項に記載の装置。
【請求項９】
前記処理ユニットは、前記身体部分の変換された前記３次元モデルに関連付けられる前記３次元モデル化された血管構造の前記少なくとも１つの２次元投影、前記身体の位置の変換された前記３次元モデルに関連付けられる前記３次元モデル化された血管構造、及び／又は、前記身体部分の変換された前記３次元モデルを報告するための報告フォーマットをユーザが選択することを可能にする、請求項１乃至８の何れか一項に記載の装置。
【請求項１０】
前記少なくとも１つの２次元Ｘ線画像は、複数の画像を含み、前記処理ユニットは、前記複数の画像から、見易く且つはっきりと見える２次元Ｘ線画像を選択する、請求項１乃至９の何れか一項に記載の装置。
【請求項１１】
血管構造の合成表現を提供する医用システムであって、
Ｘ線画像取得ユニットと、
前記血管構造の合成表現を提供する請求項１乃至１０の何れか一項に記載の装置と、
出力ユニットと、
を含み、
前記Ｘ線画像取得ユニットは、少なくとも１つの２次元Ｘ線画像を提供し、
前記出力ユニットは、前記少なくとも１つの２次元Ｘ線画像を表すデータを出力し、前記身体部分の前記３次元モデルを表すデータを出力する、医用システム。
【請求項１２】
血管構造の合成表現を提供する方法であって、
ａ）患者の身体部分の血管構造の２次元Ｘ線画像データを含む少なくとも１つの２次元Ｘ線画像を提供するステップと、
ｂ）前記身体部分の３次元モデルを提供するステップであって、前記３次元モデルは、３次元モデル化された血管構造を含み、前記３次元モデルは、前記身体部分の一般モデルである、前記ステップと、
ｃ）前記身体部分の前記３次元モデルの２次元投影を決定するステップであって、前記身体部分の前記３次元モデルの前記２次元投影は、前記３次元モデル化された血管構造の２次元投影を含む、前記ステップと、
ｄ）前記身体部分の前記３次元モデルを変換するステップであって、前記身体部分の前記３次元モデルの前記変換は、前記身体部分の変換された前記３次元モデルに関連付けられる前記３次元モデル化された血管構造の２次元投影が、前記患者の前記身体部分の前記血管構造の前記２次元Ｘ線画像データを表すような前記身体部分の前記３次元モデルの姿勢の決定を含む、前記ステップと、
ｅ）前記３次元モデルから決定される情報に基づいて、診査報告書を生成するステップと、
を含む、方法。
【請求項１３】
請求項１乃至１０の何れか一項に記載の装置又は請求項１１に記載の医用システムを制御し、プロセッサによって実行されると、請求項１２に記載の方法を実行する、コンピュータプログラム。
【請求項１４】
請求項１３に記載のコンピュータプログラムが格納された、コンピュータ可読媒体。
【発明の詳細な説明】
【技術分野】
【０００１】
本発明は、臨床的介入報告書に典型的に組み込まれる血管構造の合成表現を提供する装置、臨床的介入報告書に典型的に組み込まれる血管構造の合成表現を提供する医用システム及び臨床的介入報告書に典型的に組み込まれる血管構造の合成表現を提供する方法、並びに、コンピュータプログラム要素及びコンピュータ可読媒体に関する。
【背景技術】
【０００２】
血管治療において、例えば心臓狭窄を治療する経皮的冠動脈形成術（ＰＴＣＡ）において、血管治療に関する情報が提供される必要がある。血管治療の重要な結果は、冠動脈の展開図（flattened diagram）に注釈を付けることによって文書記録される。具体的には、臨床医は、例えば冠動脈の略展開図上で狭窄の位置を特定することによってどの狭窄が治療されたのか、また、それらの重大度を記述しなければならない。
【０００３】
米国特許出願公開第２０１０／００９８３０９Ａ１号は、患者のボリュメトリックデータを分析し、使用するシステム及び方法について説明している。患者を特徴付けるボリュメトリックデータは、コンピュータ断層撮影デバイス（ＣＴ）、磁気共鳴イメージャ（ＭＲ）又は他の断層撮影モダリティといった撮像モダリティを使用して得られる。ボリュメトリックデータ又は当該データから導出される画像スライスは、解剖学アトラスからの解剖学的画像又はモデルデータと比較され、これにより、患者データが身体構造と関連付けられる。解剖学的関連性は、患者の診断又は治療に有用でありうる情報を取り出すために、データベース内の検索用語として使用される。
【０００４】
しかし、冠動脈の略展開図は、血管造影画像において観察される実際の血管構造からかけ離れており、その結果、臨床医が、血管造影画像内の特徴を、冠動脈の略図上の特徴とマッチさせることは簡単ではない。
【発明の概要】
【発明が解決しようとする課題】
【０００５】
改良された血管造影図解釈技術があることが有利である。
【課題を解決するための手段】
【０００６】
本発明の目的は、独立請求項の主題によって達成され、更なる実施形態は、従属請求項に組み込まれる。なお、本発明の以下に説明される態様は、血管構造の合成表現を提供する装置、血管構造の合成表現を提供する医用システム、血管構造の合成表現を提供する方法、並びに、コンピュータプログラム要素及びコンピュータ可読媒体にも当てはまる。
【０００７】
第１の態様によれば、血管構造の合成表現を提供する装置が提供される。当該装置は、入力ユニットと、処理ユニットとを含む。
【０００８】
入力ユニットは、患者の身体部分の血管構造の２次元Ｘ線画像データを含む少なくとも１つの２次元Ｘ線画像を提供する。入力ユニットは更に、身体部分の３次元モデルを提供し、３次元モデルは、３次元モデル化された血管構造を含む。身体部分の３次元モデルは、身体部分の一般モデルである。処理ユニットは、身体部分の３次元モデルの２次元投影を決定する。身体部分の３次元モデルの２次元投影は、３次元モデル化された血管構造の２次元投影を含む。処理ユニットは更に、身体部分の３次元モデルを変換する。身体部分の３次元モデルの変換は、身体部分の変換された３次元モデルに関連付けられる３次元モデル化された血管構造の２次元投影が、患者の身体部分の血管構造の２次元Ｘ線画像データを表すような身体部分の３次元モデルの姿勢の決定を含む。処理ユニットは、３次元モデルから決定される情報に基づいて、診査報告書を生成する。
【０００９】
つまり、（血管造影図シーケンスからの血管造影図といった）Ｘ線画像は、血管造影図の取得中に適用される視点と同様の視点から提示される血管樹（例えば冠動脈樹）を表す合成図に関連付けられる。「血管造影図」との用語は、患者の心臓領域の血管及び／又は心臓外の血管構造の視覚化に関する。
【００１０】
別の言い方をすれば、身体部分の３次元モデルは、３次元モデルの３次元血管構造の２次元投影が、血管造影図の投影と同様に見えるように、変換（例えば回転、並進又はワーピング）される。このようにすると、合成的に生成された２次元血管構造は、そのＸ線源及び検出器が、実際の血管造影図が撮られた際に実際のＸ線源及び検出器が配置されていたのと同様に患者の身体部分に対して配置される（想像上の）Ｘ線取得ユニットによって取得されたかのように見える。次に、３次元モデルにおける３次元血管構造は分かっているので、即ち、血管樹のすべての構成部分が分かっており、名前を付けることができるので、血管構造に注釈が適用されている２次元合成投影によって、２次元血管造影図内の構造がより簡単に解釈される。
【００１１】
このように、臨床医は、様々な血管造影図の全体的な性質を統一されたやり方で解釈する助けが与えられる。
【００１２】
身体部分の３次元モデルは、身体部分の一般モデルである。つまり、モデルは、様々な患者に使用できる３次元モデルである。これは、身体部分の一般３次元モデルを使用することにより、そこから患者固有モデルが開発される身体部分のＣＴ画像が不要であることを意味する。
【００１３】
このように、身体部分の一般３次元モデルがあらゆる患者に対して利用することができ、３次元モデル内の既知の血管構造は、臨床医が実際の血管造影図を解釈する助けとして使用される。このようにすると、臨床医は、特定の血管造影図についてＸ線が心臓を通過した方向をよりうまく判断できる。つまり、臨床医は、血管造影図を見る際に、心臓について自分自身を空間的に正しい方向に向かせることができる。更に、３次元モデル化された血管構造の２次元投影の構造は分かっているので、臨床医は、３次元モデル化された血管構造の２次元投影を参照することにより、血管造影図内の血管構造の部分を容易に識別することができる。臨床医は、心臓の３次元モデル自体が血管造影図を取得するために使用された方向と同じ方向からのＸ線分析を受けたかのようにモデル化された血管構造の２次元投影を示す３次元モデルのマッチする２次元投影を参照することにより、血管造影図内の動脈を、それらの解剖学的名称によって容易に特定することができる。臨床医は、分枝及びサブセグメントを特定することはできるが、様々な血管造影図から得られた情報を人工的な展開図に統合することは厄介であり、上記されたようなやり方での３次元モデルの利用がこの処理に役立つ。
【００１４】
臨床医は更に、３次元モデルの２次元投影、即ち、図の解釈を助ける手段が提供される。少なくとも２つのメリットがある。臨床医は、ａ）画像から解剖学的名称への翻訳、及び、ｂ）解剖学的名称から図への翻訳を行う必要がない。更に、再投影された図は、様々なシーケンス（様々な図）からの情報を１つの一意のモデルにまとめることを自然に可能にする。情報は、様々な図から、最終報告書に所見をまとめる１つの構造に容易に集められる。
【００１５】
つまり、処理ユニットは、３次元モデルの例えば回転、並進及び／又はワーピングを介して３次元モデルを変換し、モデルの２次元投影内の血管構造が、実際に取得された血管造影図内の血管構造にマッチする、ほぼマッチする又は少なくとも最も厳密にマッチする（即ち、視覚的に十分である）まで、各点において３次元モデル化された血管構造の２次元投影を決定する。即ち、３次元モデルの１つの変換において、その２次元投影は、血管造影図に対してベストフィットを示す。別の言い方をすれば、３次元モデルは、モデルの２次元投影内の血管構造が、血管造影図内の血管構造の２次元Ｘ線画像データに最も厳密に相関するまで変換される。
【００１６】
このように、３次元モデルは、身体部分の変換された３次元モデルに関連付けられる３次元モデル化された血管構造の２次元投影が、患者の身体部分の血管構造の２次元Ｘ線画像データと相関するように決定される（一例では、精緻化される）。
【００１７】
つまり、検査の血管造影図シーケンスは、同様の視点からの冠動脈樹（血管構造の２次元Ｘ線画像データの例）を表す図に関連付けられる。このように、１つの人工的に展開された全２次元図を表示するのではなく、一連の２次元図に再投影される（血管構造の３次元モデル又は図を含む）完全３次元図が使用され、各２次元図は、取得された血管造影図のうちの対応する１つ（又は２以上）と同様である。
【００１８】
一例では、入力ユニットは、少なくとも１つの２次元Ｘ線画像を取得するために使用されたＸ線取得ユニットの幾何学的形状に関する情報を提供し、身体部分の３次元モデルの変換には、Ｘ線取得ユニットの幾何学的形状に関する情報の利用が含まれる。
【００１９】
つまり、Ｘ線が身体部分を通過した方向が略分かるように、患者に対するＸ線源及び検出器の位置に関する情報を、３次元モデルの２次元投影が２次元血管造影図に既に厳密に似るように３次元モデルを患者の身体部分に対して対応する位置に配置及び方向付けるために使用することができる。
【００２０】
一例では、身体部分の３次元モデルの変換には、スケーリング係数の適用が含まれる。
【００２１】
つまり、モデルは、患者間で異なる身体部分のサイズに対応するように拡大縮小される。例えば心臓のサイズは患者毎に異なる。
【００２２】
一例では、スケーリング係数は、アフィンスケーリング係数を含む。
【００２３】
つまり、身体部分のモデルはサイズに関して均一に変更できるだけでなく、身体部分のモデルの全体で異なるように拡大縮小することができる。つまり、スケーリング係数は、身体部分のモデルの１つの端では、身体部分のサイズは変更されないが、身体部分のモデルの別の端では、身体部分のサイズは変更されるように、身体部分のモデルの全体で線形に増加してよい。この場合、身体部分のモデルの中間部分は２つの端間で線形又は非線形に拡大縮小されてよい。
【００２４】
一例では、身体部分の３次元モデルの変換には、身体部分の３次元モデルの並進が含まれる。
【００２５】
つまり、空間におけるモデルの位置の向上された推定値（３つの並進パラメータ）が計算され、これは、その拡大縮小（１、２又は場合により３つのパラメータ）及び僅かな回転（３つのパラメータ）及び／又は僅かな並進（３つのパラメータ）について補正される。
【００２６】
一例では、身体部分の３次元モデルの変換には、身体部分の３次元モデルの回転が含まれる。
【００２７】
一例では、身体部分の３次元モデルの変換には、血管構造の２次元Ｘ線画像データに対する身体部分の３次元モデルの２次元投影の位置合わせ（レジストレーション）が含まれる。
【００２８】
「位置合わせ」との用語は、３次元モデル化された血管構造の２次元投影が、血管構造の２次元Ｘ線画像データ内の血管樹に空間的に対応する血管樹を有するような身体部分の３次元モデルの変換に関する。つまり、３次元モデル化された血管構造の２次元投影内の血管構造は、血管構造の２次元Ｘ線画像データの血管構造と最適に類似している。又は、つまり、実際のＸ線画像及び合成モデル化画像の両方における血管は、可能な限り類似している。
【００２９】
一例では、処理ユニットは、身体部分の変換された３次元モデルに関連付けられる３次元モデル化された血管構造の少なくとも１つの２次元投影にユーザが注釈を付けることを可能にする。処理ユニットは、身体部分の３次元モデルの３次元モデル化された血管構造に注釈を適用する。
【００３０】
つまり、臨床医は、自身の所見を分かり易く且つ正確に記入することができる。臨床医は、冠動脈樹に注釈を付けるために、どの血管造影画像（２次元Ｘ線画像）／２次元図（３次元モデル化された血管構造の２次元投影）の対を使用したいかを選択することができる。（例えば狭窄の位置を確認するために）図の１つを編集すると、（図面はすべて、同じ物体、つまり、一般３次元モデルの特定の図を表すので）図面のすべてが更新される。したがって、臨床医は、報告書に記入するために、様々な狭窄が最良に可視である図を選択することができる。
【００３１】
一例では、処理ユニットは、身体部分の変換された３次元モデルに関連付けられる３次元モデル化された血管構造の少なくとも１つの２次元投影、身体の位置の変換された３次元モデルに関連付けられる３次元モデル化された血管構造、及び／又は、身体部分の変換された３次元モデルを報告するための報告フォーマットをユーザが選択することを可能にする。
【００３２】
つまり、臨床医は、報告書内で当該情報を提示したいフォーマットを選択することができる。簡単なやり方は、一部の血管造影図／再投影された２次元図の対を報告書にエクスポートすることである。これにより、報告書を読む臨床医が、検査の結果の本質を直観的且つ正確に理解することができる。ユーザは更に、ユーザの所見をより簡潔であるがよりコンパクトにまとめた他の画像を生成することもできる。ユーザは、展開された模式的な２次元図（３次元モデル化された血管構造の２次元投影）、又は、デジタル報告書においてユーザが回転させる３次元樹（３次元モデル化された血管構造）を用いることができる。
【００３３】
このように、冠動脈樹に注釈を付ける簡単なやり方が提供される。
【００３４】
一例では、少なくとも１つの２次元Ｘ線画像は、複数の画像を含む。処理ユニットは、当該複数の画像から、見易く且つはっきりと見える２次元Ｘ線画像を選択する。
【００３５】
第２の態様によれば、血管構造の合成表現を提供する医用システムが提供される。当該医用システムは、Ｘ線画像取得ユニットと、上記例及び態様の何れかによる血管構造の合成表現を提供する装置と、出力ユニットとを含む。
【００３６】
Ｘ線画像取得ユニットは、少なくとも１つの２次元Ｘ線画像を提供する。出力ユニットは、少なくとも１つの２次元Ｘ線画像を表すデータを出力し、身体部分の３次元モデルを表すデータを出力する。
【００３７】
血管構造の合成表現を提供する医用システムを提供することによって、臨床医には、介入に関連付けられる必要な報告情報が自動的に提供される。臨床医には、患者の冠動脈樹の部分の名前に関する情報が提供され、行われる介入の詳細且つ正確な報告と、行われた介入の報告との両方が可能にされる。血管構造の合成表現を提供することによって、臨床医は、将来において、血管造影図を簡単に再検討し、それらの空間的コンテキストを理解することができ、また、様々な臨床医が血管造影図を再検討することができ、また、画像を解釈する必要なく、血管造影図内で観察される血管構造に関する情報が自動的に提供される。
【００３８】
第３の態様によれば、血管構造の合成表現を提供する方法が提供される。当該方法は、ａ）患者の身体部分の血管構造の２次元Ｘ線画像データを含む少なくとも１つの２次元Ｘ線画像を提供するステップと、ｂ）身体部分の３次元モデルを提供するステップであって、３次元モデルは、３次元モデル化された血管構造を含み、身体部分の３次元モデルは、身体部分の一般モデルである、上記ステップと、ｃ）身体部分の３次元モデルの２次元投影を決定するステップであって、身体部分の３次元モデルの２次元投影は、３次元モデル化された血管構造の２次元投影を含む、上記ステップと、ｄ）身体部分の３次元モデルを変換するステップであって、身体部分の３次元モデルの変換には、身体部分の変換された３次元モデルに関連付けられる３次元モデル化された血管構造の２次元投影が、患者の身体部分の血管構造の２次元Ｘ線画像データを表すような身体部分の３次元モデルの姿勢の決定が含まれる、上記ステップと、ｅ）３次元モデルから決定される情報に基づいて、診査報告書を生成するステップとを含む。
【００３９】
別の態様によれば、上記装置を制御するコンピュータプログラム要素が提供される。当該コンピュータプログラム要素は、装置内で処理ユニットによって実行され、上記方法のステップを行う。別の態様によれば、上記コンピュータ要素が格納されたコンピュータ可読媒体が提供される。
【００４０】
有利には、上記態様の何れかによって提供されるメリットは、他の態様のすべてに同じように当てはまり、その逆も同様である。
【００４１】
上記態様及び例は、以下に説明される実施形態から明らかとなり、また、当該実施形態を参照して説明される。
【図面の簡単な説明】
【００４２】
例示的な実施形態は、以下の図面を参照して、以下に説明される。
【００４３】
【図１】図１は、血管構造の合成表現を提供する装置の一例の概略構成を示す。
【図２】図２は、血管構造の合成表現を提供する医用システムの一例の概略構成を示す。
【図３】図３は、血管構造の合成表現を提供する方法の一例を示す。
【図４】図４は、展開冠動脈図の一例を示す。
【図５】図５は、例示的な冠動脈血管造影画像を、血管造影の視点と同様の視点からの３次元モデル化された血管構造の２次元投影と共に示す。
【図６】図６は、図５に示される情報と同じであるが、画像が概略図表現によって置き換えられている情報を示す。
【図７】図７は、身体部分の３次元モデルの一例を示す。
【図８】図８は、血管構造の合成表現を提供する方法のワークフローの一例の図を示す。
【発明を実施するための形態】
【００４４】
図１は、血管構造の合成表現を提供する装置１０の一例を示す。装置は、入力ユニット２０と、処理ユニット３０とを含む。入力ユニット２０は、患者の身体部分の血管構造の２次元（２Ｄ）Ｘ線画像データを含む少なくとも１つの２次元Ｘ線画像を処理ユニット３０に提供する。入力ユニット２０は更に、身体部分の３次元（３Ｄ）モデルを処理ユニット３０に提供する。３次元モデルは、３次元モデル化された血管構造を含む。処理ユニット３０は、身体部分の３次元モデルの２次元投影を決定する。身体部分の３次元モデルの２次元投影には、３次元モデル化された血管構造の２次元投影が含まれる。処理ユニット３０は更に、身体部分の３次元モデルを変換する。身体部分の３次元モデルの変換には、身体部分の変換された３次元モデルに関連付けられる３次元モデル化された血管構造の２次元投影が、患者の身体部分の血管構造の２次元Ｘ線画像データを表すような身体部分の３次元モデルの姿勢の決定が含まれる。処理ユニット３０は更に、３次元モデルから決定される情報に基づいて、診査報告書を生成する。
【００４５】
一例では、姿勢の決定には、姿勢の精緻化が含まれる。一例では、３次元モデル内の３次元血管構造は分かっている。即ち、血管樹の構成部分のすべて（又は少なくとも一部）が分かっており、名前（注釈）を付けることができる。一例では、処理ユニットは、身体部分の３次元モデルの２次元投影を、画像処理ユニットを使用して求める。一例では、処理ユニットは、身体部分の３次元モデルを、画像処理ユニットを使用して変換する。
【００４６】
一例では、変換には、処理ユニットが２次元Ｘ線画像データ内の血管構造の少なくとも一部を、３次元モデル血管構造の２次元投影内の血管構造の対応する少なくとも一部と整列させるように構成されることが含まれる。例えば３次元モデル化された血管構造の２次元投影内の位置は、対応する血管造影画像内の位置に変換される。例えば整列は、血管構造の非常に具体的な場所（例えば主要な３分岐部）に基づいて行われる。一例では、３次元モデル化された血管構造の２次元投影内の少なくとも幾つかの特徴（例えばＡ、Ｂ、Ｃ）が、少なくとも１つの２次元Ｘ線画像（血管造影図）内の少なくとも幾つかの同様の特徴（例えばＡ’、Ｂ’、Ｃ’）と整列される又はそれらの上に投影される。一例では、例えば広い領域（例えば大きいセグメント）が検討される場合には、整列には、３次元モデル化された血管構造の２次元投影の領域が、少なくとも１つの２次元Ｘ線画像（血管造影図）の同等の領域上に置かれることが含まれ、画像のぼんやりとした又は非常にぼんやりとしたバージョンが基準として使用される。整列は、粗くても又は非常に粗くてもよいが、例では、これは、視覚的に同等の構成にあるモデルの投影を画像に提示する目的には十分である。
【００４７】
一例では、３次元モデルの精緻化は、３次元モデル化された血管構造の精緻化前の２次元投影が血管構造の２次元Ｘ線画像データに相関するよりも、血管構造の２次元Ｘ線画像データにより厳密に相関する３次元モデル化された血管構造の２次元投影をもたらす。
【００４８】
つまり、３次元モデルの姿勢が決定され（一例では、精緻化され）、したがって、３次元モデルの２次元投影は、血管造影図（血管構造の２次元Ｘ線画像データ）において実際に観察される注入済み冠動脈樹に最大限一致する。
【００４９】
一例では、決定（及び、一例では精緻化）には、患者の心臓のサイズの多様性に対応するために、空間における回転、空間における並進、及び／又は、３次元モデルのサイズを拡大又は縮小するスケーリング係数の適用が含まれる。つまり、３次元モデルの空間的位置及び向きが、２次元におけるその投影が、取得された血管造影図において実際に観察される注入済み冠動脈樹に最も厳密にマッチするまで変更される。
【００５０】
一例によれば、入力ユニットは、処理ユニットに、少なくとも１つの２次元Ｘ線画像を取得するために使用したＸ線取得ユニット４０の幾何学的形状に関する情報を提供する。身体部分の３次元モデルの変換には、Ｘ線取得ユニットの幾何学的形状に関する当該情報の利用が含まれる。
【００５１】
一例では、幾何学的形状に関する情報は、Ｘ線取得ユニットのアンギュレーション及び線源−画像間距離（ＳＩＤ）を含む。一例では、３次元モデルは、最初は、例えばＣアーム幾何学的配置に従って、治療中心に配置される。
【００５２】
一例によれば、身体部分の３次元モデルの変換には、スケーリング係数の適用が含まれる。
【００５３】
一例によれば、スケーリング係数は、アフィンスケーリング係数を含む。
【００５４】
一例によれば、身体部分の３次元モデルの変換には、身体部分の３次元モデルの並進が含まれる。
【００５５】
一例では、変換は、例えばｘ、ｙ又はｚ軸に沿った並進が長さ要素の伸長又は縮小も包含するような変換を含む。一例では、並進は、ｘ、ｙ又はｚ軸に沿った並進の何れか１つ、いずれか２つ又は３つすべてを含む。一例では、変換は、並進、回転及びスケーリングに関する９つすべてのパラメータを変換するアフィン変換と、アフィン変換を理解する当業者には認識されるように、一連の並進、回転及びスケーリングとして説明できない他の変換とを含む。
【００５６】
一例によれば、身体部分の３次元モデルの変換には、身体部分の３次元モデルの回転が含まれる。
【００５７】
つまり、一例では、変換は、３次元モデル化された血管構造の２次元投影が、血管構造の２次元Ｘ線画像データと相関するように、Ｘ線取得ユニットの幾何学的情報を使用して３次元モデルの最初の向きを提供し、その後にスケーリング係数を変更し、その後にモデルを並進させ、その後に回転（又は向き）を精緻化することを含み、これにより、３次元モデルの姿勢が正しく決定される。
【００５８】
一例では、回転は、ｘ、ｙ又はｚ軸の周りの回転の何れか１つ、いずれか２つ又は３つすべてを含む。
【００５９】
一例では、身体部分の３次元モデルの変換には、血管構造の２次元Ｘ線画像データに対する身体部分の３次元モデルの２次元投影の位置合わせが含まれる。
【００６０】
一例では、身体部分の３次元モデルの２次元投影の位置合わせには、血管構造の２次元Ｘ線画像データに対する３次元モデル化された血管構造の２次元投影の位置合わせが含まれる。
【００６１】
血管造影図に対するモデルの２次元投影のマッチングに関する情報は、Gert Schoonenberg、Raoul Florent、Pierre Lelong、Onno Wink、Daniel Ruijters、John Carroll、Bart ter Haar Romenyによる論文「Projection-based motion compensation and reconstruction of coronary segments and cardiac implantable devices using rotational X-ray angiography」（Medical Image Analysis、第１３巻、第５号、２００９年１０月、７８５〜７９２頁）に記載されている。
【００６２】
一例では、血管構造の２次元Ｘ線画像データに対する身体部分の３次元モデルの２次元投影の位置合わせには、３次元モデル化された血管構造の２次元投影が、２次元Ｘ線画像（血管造影図）上で観察される冠動脈樹とできるだけマッチするように、３次元モデルの３次元位置を徐々にアフィン変換する（affining）ことが含まれる。
【００６３】
一例では、アフィン変換することには、３次元モデル化された血管構造の現在の２次元投影が、血管造影図内の冠動脈樹にどれぐらい良くマッチするのかを特徴付けるエネルギー関数を規定することが含まれる。一例では、エネルギー関数を規定することには、血管造影図をフィルタリングすることによって血管エネルギーマップを計算し、３次元モデル化された血管構造の２次元投影に対して重なった血管エネルギーを合計することが含まれる。３次元モデルの姿勢が、３次元モデル化された血管構造の２次元投影が血管造影図内の血管に良く対応するような姿勢であれば、エネルギーは高い。しかし、３次元モデルの姿勢が、正しく方向付けられた３次元モデルをもたらさない場合、上記対応はなく、エネルギーは低い。
【００６４】
一例では、すべての可能な姿勢は、姿勢間にサンプリングステップを有して、生成された３次元モデル血管構造の関連の２次元投影で調べられ、最大エネルギーを与える姿勢が、最適な姿勢を有する３次元モデルに対応する。
【００６５】
一例では、エネルギーは、姿勢パラメータ（並進、回転及び拡大縮小）に関して微分可能であり、エネルギー導関数は、整列を向上させるために、姿勢パラメータが適応されるべき方向を示す。つまり、傾斜降下が、姿勢の（局所的に）最適な選択をすぐにもたらす。このようにすると、所要姿勢は、すべての可能な姿勢が調べられる場合よりもより速く決定される。
【００６６】
一例では、血管エネルギーマップは、ガウシアンフィルタリングを適用することによって適応される。このように、この単純な適応は、適切な姿勢がより簡単に決定可能であるように、エネルギーマップを不鮮明にする。このように、特定の患者の実際の３次元冠動脈樹を正確には表さない３次元モデルを利用することができる。
【００６７】
血管エネルギーマップの計算は、例えばV. Auvray、U. Jandt、R. Florent、D. Schaferによる論文「Improved vessel enhancement for fully automatic coronary modelling」（SPIE Medical imaging、２００９年）に説明されている。
【００６８】
一例では、血管構造の２次元Ｘ線画像データに対する身体部分の３次元モデルの２次元投影の位置合わせには、純２次元画像処理によって血管造影図内の幾つかの特定点（例えば分岐点）を特定することが含まれる。これらの点は、３次元モデル化された血管構造の２次元投影内の特定点が、血管造影図内の対応する特定点にマッチするように、３次元モデルの姿勢パラメータを設定するためのアンカーとして機能する。つまり、３次元モデルと血管造影図とを整列させるために特定方法がデザインされる。このような分岐点を特定する特定方法の一例が、R. Lacroix、R. Florent、V. Auvrayによる論文「Model-based segmentation of the left main coronary bifurcation from 2D angiograms」（ＩＳＢＩ２０１２）に説明されている。
【００６９】
一例では、装置は、出力ユニットを含む。出力ユニットは、少なくとも１つの２次元Ｘ線画像を表すデータを出力し、また、身体部分の変換された３次元モデルに関連付けられる３次元モデル化された血管構造の２次元投影を表すデータを出力する。
【００７０】
一例によれば、処理ユニットは、身体部分の変換された３次元モデルに関連付けられる３次元モデル化された血管構造の少なくとも１つの２次元投影にユーザが注釈を付けることを可能にする。また、処理ユニットは、身体部分の３次元モデルの３次元モデル化された血管構造に注釈を適用する。
【００７１】
一例では、注釈付けユニット５０又は注釈付けモジュール５０が、身体部分の変換された３次元モデルに関連付けられる３次元モデル化された血管構造の少なくとも１つの２次元投影にユーザが注釈を付けることを可能にし、処理ユニット又は注釈付けユニット若しくは注釈付けモジュールは、身体部分の３次元モデルの３次元モデル化された血管構造に注釈を適用する。
【００７２】
一例によれば、処理ユニットは、身体部分の変換された３次元モデルに関連付けられる３次元モデル化された血管構造の少なくとも１つの２次元投影、身体部分の変換された３次元モデルに関連付けられる３次元モデル化された血管構造、及び／又は、身体部分の変換された３次元モデルを報告するための報告フォーマットをユーザが選択することを可能にする。
【００７３】
一例では、報告ユニット６０又は報告モジュール６０が、少なくとも１つの２次元Ｘ線画像、身体部分の変換された３次元モデルに関連付けられる３次元モデル化された血管構造の２次元投影、身体部分の変換された３次元モデルに関連付けられる３次元モデル化された血管構造、及び／又は、身体部分の変換された３次元モデルを報告するための報告フォーマットをユーザが選択することを可能にする。
【００７４】
一例では、処理ユニットは、３次元モデルが、見られている血管造影図のアンギュレーションと同じアンギュレーションで提示されるように、見られている血管造影図を用いて３次元モデルを自動的に回転させる。
【００７５】
一例によれば、少なくとも１つの２次元Ｘ線画像は、複数の画像を含む。処理ユニットは、当該複数の画像から、見易く且つはっきりと見える２次元Ｘ線画像を選択する。
【００７６】
一例では、見易く且つはっきりと見える２次元Ｘ線画像の取得中に、造影剤が存在する。例えば造影剤は、見易く且つはっきりと見えるように血管構造の画像データを提供するために、血管構造の少なくとも一部に注入されている。一例では、処理ユニットは、うまく注入されている画像を選択する。つまり、見易く且つはっきりと見える（例えばうまく注入されている）画像において、造影剤が注入された動脈、例えば冠動脈が細部まで見える。血管構造の少なくとも一部についての「見易く且つはっきりと見える」との表現は、手動で又は自動的に血管構造の位置が突き止められる、特定される、及び／又は、描出可能であるように、血管構造の少なくとも一部が提示されることに関連する。画像は、画像取得時、例えばＸ線血管造影中に、血管構造内に造影剤が注入されることにより、見易く且つはっきりと見える。
【００７７】
一例では、臨床医又はユーザは、報告書において所見を提示するフォーマットを選択することができる。臨床医又はユーザは、複数組の血管造影図及び２次元投影モデルの注釈付き図のうちの幾つかを用いてもよいし、及び／又は、コンパクトな概略表現（展開２次元図、デジタル報告書における編集可能な３次元図）を生成してもよい。
【００７８】
一例では、少なくとも１つの２次元Ｘ線画像は、複数の画像を含む。処理ユニットは、当該複数の画像から、第１の２次元Ｘ線画像及び第２の２次元Ｘ線画像を選択する。処理ユニットは、第１の２次元Ｘ線画像について位置合わせされた画像である画像として、第２の２次元Ｘ線画像を選択する。
【００７９】
「位置合わせされた画像」との表現は、第２の２次元Ｘ線画像が第１の２次元Ｘ線画像について位置合わせされるような、第２の２次元Ｘ線画像の選択に関する。例えば第１及び第２の２次元Ｘ線画像は、心周期、患者の呼吸、患者の動き、画像拡大又はこれらの任意の組み合わせについて位置合わせされる。つまり、（例えば心臓である）身体部分は、２つの画像間で同様の状態にあることが予想される。これは、第１の２次元Ｘ線画像内にもたらされる心臓と、第２の２次元Ｘ線画像内にもたらされる心臓との間で空間的に対応する血管樹をもたらす。つまり、心臓を通る様々なアンギュレーションに関連する複数の２次元Ｘ線画像は、３次元モデルを血管構造の２次元Ｘ線画像と突き合わせる際に、少なくとも１つのパラメータが更新されることを可能とするように最適に使用可能である。３次元モデルは一般モデルでもよいので、３次元モデルと実際の患者の冠動脈樹との間には不正確さがあることが予想されるので、上記位置合わせは任意選択である。画像拡大は、観察された構造の解剖学的状態には関連せず、一例では、考慮される撮像設定に関連する。これは、心周期内の固定時間に関連するＸ線画像が選択可能であることにより、心臓の３次元モデルは、心周期の変化に関して動的である必要がないため、単純化を提供する。
【００８０】
図２は、血管構造の合成表現を提供する医用システム１００の一例を示す。システムは、Ｘ線画像取得ユニット４０と、上記図１による血管構造の合成表現を提供する装置１０と、出力ユニット１１０とを含む。Ｘ線画像取得ユニット４０は、通信ケーブル１２０を介して、少なくとも１つの２次元Ｘ線画像を装置１０に提供する。装置１０は、適切な通信ケーブルを介して出力ユニット１１０と通信し、出力ユニット１１０は、少なくとも１つの２次元Ｘ線画像を表すデータを出力し、身体部分の３次元モデルを表すデータを出力する。
【００８１】
一例では、出力ユニットは、身体部分の２次元投影を表すデータを出力する。
【００８２】
一例では、出力ユニットは、３次元モデル化された血管構造の２次元投影を表すデータを出力する。
【００８３】
一例では、出力ユニットは、少なくとも１つの２次元Ｘ線画像を出力し、また、３次元モデル化された血管構造の２次元投影の画像を出力する。
【００８４】
一例では、Ｘ線画像出力ユニットは、Ｘ線撮像デバイスを含む。
【００８５】
一例では、Ｘ線画像取得ユニットは、蛍光透視撮像デバイスを含む。例えば蛍光透視低線量Ｘ線デバイスである。
【００８６】
一例では、Ｘ線画像取得ユニットは、血管造影撮像デバイスを含む。
【００８７】
一例では、出力データは、臨床医が、血管治療又は介入が成功したかどうかを判断できるように使用可能である。
【００８８】
一例では、システムは、心臓狭窄を治療するためにカテーテル処置室内での経皮的冠動脈形成術（ＰＴＣＡ）に使用される。
【００８９】
図３は、血管構造の合成表現を提供する方法２００の一例をその基本ステップについて示す。当該方法は次のステップを含む。
【００９０】
第１の提供ステップ２１０（ステップａ）とも呼ぶ）において、患者の身体の一部の血管構造の２次元Ｘ線画像データを含む少なくとも１つの２次元Ｘ線画像が提供される。
【００９１】
第２の提供ステップ２２０（ステップｂ）とも呼ぶ）において、身体部分の３次元モデルが提供される。３次元モデルは、３次元モデル化された血管構造を含む。
【００９２】
決定ステップ２３０（ステップｃ）とも呼ぶ）において、身体部分の３次元モデルの２次元投影が決定される。身体部分の３次元モデルの２次元投影は、３次元モデル化された血管構造の２次元投影を含む。
【００９３】
変換ステップ２４０に（ステップｄ）とも呼ぶ）おいて、身体部分の３次元モデルが変換される。身体部分の３次元モデルの変換には、身体部分の変換された３次元モデルに関連付けられる３次元モデル化された血管構造の２次元投影が、患者の身体部分の血管構造の２次元Ｘ線画像データを表すような身体部分の３次元モデルの姿勢が含まれる。
【００９４】
生成ステップ２５０（ステップｅ）とも呼ぶ）において、３次元モデルから決定される情報に基づいて、診査報告書が生成される。
【００９５】
なお、ステップ２３０及び２４０は一緒に行われてもよく、実際に、ステップ２３０が、ステップ２４０の下位部分を形成してもよい。
【００９６】
一例では、姿勢を決定するステップは、姿勢の精緻化を含む。
【００９７】
一例では、方法は、少なくとも１つの２次元Ｘ線画像を取得するために使用したＸ線取得ユニットの幾何学的形状に関する情報を提供するステップを含み、また、身体部分の３次元モデルを変換するステップは、Ｘ線取得ユニットの幾何学的形状に関する情報を利用するステップを含む。
【００９８】
一例では、身体部分の３次元モデルを変換するステップは、身体部分の３次元モデルの回転を含む。一例では、回転は、ｘ、ｙ又はｚ軸の周りの回転の何れか１つ、いずれか２つ又は３つすべてを含む。
【００９９】
一例では、身体部分の３次元モデルを変換するステップは、身体部分の３次元モデルの並進を含む。一例では、並進は、ｘ、ｙ又はｚ軸に沿った並進の何れか１つ、いずれか２つ又は３つすべてを含む。
【０１００】
一例では、身体部分の３次元モデルを変換するステップは、血管構造の２次元Ｘ線画像データに対する身体部分の３次元モデルの２次元投影の位置合わせを含む。
【０１０１】
一例では、方法は、少なくとも１つの２次元Ｘ線画像、及び／又は、身体部分の変換された３次元モデルに関連付けられる３次元モデル化された血管構造の２次元投影に、ユーザが注釈を付けることを可能にするステップを含み、処理ユニットは、身体部分の３次元モデルの３次元モデル化された血管構造に注釈を適用する。
【０１０２】
一例では、方法は、少なくとも１つの２次元Ｘ線画像、身体部分の変換された３次元モデルに関連付けられる３次元モデル化された血管構造の２次元投影、身体部分の変換された３次元モデルに関連付けられる３次元モデル化された血管構造、及び／又は、身体部分の変換された３次元モデルを報告するための報告フォーマットを、ユーザが選択することを可能にするステップを含む。
【０１０３】
一例では、少なくとも１つの２次元Ｘ線画像は、複数の画像を含み、方法は、当該複数の画像から、うまく注入されている２次元Ｘ線画像を選択するステップを含む。
【０１０４】
一例では、少なくとも１つの２次元Ｘ線画像は、複数の画像を含み、方法は、当該複数の画像から、第１の２次元Ｘ線画像及び第２の２次元Ｘ線画像を選択するステップを含み、第２の２次元Ｘ線画像は、第１の２次元Ｘ線画像について位置合わせされた画像である画像として選択される。
【０１０５】
図４乃至図８と併せて、血管構造の合成表現を提供する装置及び方法の例について、以下により詳細に説明する。
【０１０６】
図４を参照することにより、対処される問題について再検討する。図４は、展開された冠動脈図（flattened coronary diagram）の一例を示す。可能なすべての冠動脈樹を表現できるように、冠動脈図は、非常に模式的である必要がある。例えば左右の冠動脈樹は展開され、並んで示される。二次的分枝（縁枝、中隔枝、対角枝、…）の経路は、重複部分を無効にすることによって図を読み取り可能な状態に保つ必要によって主に決定される。この表現は、基本的に、模式的であるので、実際の構造や、血管造影画像上で観察される動脈の経路からかけ離れている。結果として、このような一般的な動脈モデルを観察された血管造影画像に関連付けることは簡単ではない。図への記入は、臨床医が検査シーケンスで観察した造影剤が注入された血管を頭の中で解剖学的（意味）モデルに投影しつつ、一般的な図に戻らなければならないという臨床医の努力を必要とする。更に、第２の臨床医が、報告書を読んで理解する必要がある場合に、特に狭窄の正確な位置を詳細に理解する必要がある場合に、リバース作業を行う際に、不明確さが生じる。
【０１０７】
図４を参照して説明される問題は、各血管造影シーケンスを、同様の視点からの冠動脈樹を示す図と関連付けることによって対処される。１つの人工的に展開された２次元図全体を表示するのではなく、取得した血管造影図と同様の一連の２次元図に再投影される血管構造の３次元図全体が利用される。これの結果の一例が、図５及び図６に示される。図５及び図６は、冠動脈血管造影の例示的な画像を、血管造影の視点と同様の視点からの３次元モデル化された血管構造の２次元投影と共に示す。
【０１０８】
より詳細には、冠動脈の３次元幾何モデルが利用される。３次元幾何モデルは、図４の２次元展開モデルと同じ解剖学的セグメントにある動脈樹を分解する。図７に、この例では心臓である身体部分の３次元モデルの一例が示される。身体部分の３次元モデルに関する詳細な情報はJ. T. Dodge Jr、B. G. Brown、E. L. Bolson及びH. T. Dodgeによる報告書「Intrathoracic spatial location of specified coronary segments on the normal human heart.  Applications in quantitative arteriography, assessment of regional risk and contraction, and anatomic display」（Circulation、第７８巻、第５号、１１６７頁、１９８８年）に記載されている。
【０１０９】
次に、各血管造影シーケンスについて、１つのうまく注入されている画像（造影剤が注入された冠動脈が細部まで見える）が当該シーケンスから自動的に選択される。
【０１１０】
最初は、例えばＣアーム幾何学的配置（そのアンギュレーション及びその線源−画像間距離（ＳＩＤ）によって規定される）に従って治療中心に配置される３次元幾何モデルが、２次元表現を生成するように投影される。
【０１１１】
３次元幾何モデルの姿勢は、それが、実際に観察される造影剤注入済み冠動脈樹とできるだけ一致するように精緻化される。一例では、空間におけるモデルの位置の向上された推定値（３つの並進パラメータ）が計算され、その拡大縮小（１又は場合により３つのパラメータ）及び僅かな回転（３つのパラメータ）について補正される。
【０１１２】
このような３次元−２次元剛体位置合わせ一例は、Gert Schoonenberg、Raoul Florent、Pierre Lelong、Onno Wink、Daniel Ruijters、John Carroll、Bart ter Haar Romenyによる論文「Projection-based motion compensation and reconstruction of coronary segments and cardiac implantable devices using rotational X-ray angiography」（Medical Image Analysis、第１３巻、第５号、２００９年１０月、７８５〜７９２頁）に記載されている。
【０１１３】
最初の姿勢から開始して（ステップ２）、方法は、３次元モデル位置を、その２次元再投影が、２次元画像（血管造影図）上で観察される冠動脈樹とできるだけマッチするように徐々にアフィン変換する。これは、現在の再投影されたモデルが、観察される冠動脈とどれくらい良くマッチするかを詳述するエネルギー関数を規定することによって行われる。例えば観察された画像をフィルタリングすることによって、血管エネルギーマップが計算され、再投影された３次元モデルに対して重なった血管エネルギーを合計する。その姿勢が血管に良く対応するならば、エネルギーは高く、その姿勢が血管から外れているならば、エネルギーは低い。血管エネルギーマップの計算の一例は、V. Auvray、U. Jandt、R. Florent、D. Schaferによる論文「Improved vessel enhancement for fully automatic coronary modelling」（SPIE Medical imaging、２００９年）に説明されている。
【０１１４】
確実に最良の姿勢を得るためには、すべての許容変換（又は少なくともそのサンプリングされたバージョン）が計算され（並進、回転及び拡大縮小）、最大エネルギーを与える変換が選択される。或いは、エネルギーは、姿勢パラメータに関して微分可能であるように計算され、したがって、エネルギー導関数は、整列を向上させるために、姿勢パラメータが適応されるべき方向を示す。このようにすると、傾斜降下が、姿勢の（局所的に）最適な選択をすぐにもたらす。
【０１１５】
適応は、（対応する患者の真の３次元冠動脈樹に関する）モデルにおける任意の不正確さを、本発明のマッチング基準での不正確さに変換するために、（ガウシアンフィルタリングによって）エネルギーマップを不鮮明にすることであり、これにより、最良の姿勢の決定が容易にされる。
【０１１６】
或いは、３次元モデルと血管造影図とを整列させ、純２次元画像処理によって血管造影図内の幾つかの特定分岐点を明確に特定することを伴う特定の方法がデザインされる。これらの幾つかの点は、３次元モデルを設定するためのアンカーとして機能する（したがって、再投影された分岐点が、血管造影図から抽出された分岐点とマッチする）。このような整列方法の一例は、R. Lacroix、R. Florent、V. Auvrayによる論文「Model-based segmentation of the left main coronary bifurcation from 2D angiograms」（ＩＳＢＩ２０１２）に説明されている。
【０１１７】
取得した血管造影図を再投影されたモデルと整列させた後、モデルは以下の２つのモジュールにおいて利用される。
【０１１８】
１つは、臨床医が、自身の所見を分かり易く且つ正確に記入することを可能にする注釈付けモジュールである。
【０１１９】
臨床医は、冠動脈樹に注釈を付けるために、どの血管造影画像／２次元図の対を使用したいかを選択することができる。（例えば狭窄の位置を確認するために）図の１つを編集すると、（図面はすべて、同じ物体、つまり、一般３次元モデルの特定の図を表すので）図面のすべてが更新される。
【０１２０】
ユーザは、冠動脈樹に関するユーザの所見を報告するために、最も関連のある図を選択することができる。
【０１２１】
基本的に、ユーザは、狭窄の位置を正確に確認するために、当該狭窄が最もはっきりと見える（短縮がほとんどなく、重なりクラッタもほとんどない）図を選択することができる。
【０１２２】
もう１つは、臨床医が報告書内で当該情報を提示したいフォーマットを選択することを可能にする報告モジュールである。
【０１２３】
一部の血管造影画像／再投影された２次元図の対は、報告書にエクスポートされることが可能である。これにより、報告書を読む臨床医が、検査の結果の本質を直観的且つ正確に理解することができる。つまり、これは、当該報告書を読む第２の臨床医が、当該検査の結果をより速く且つより正確に理解するのを助けるという追加のメリットがある。
【０１２４】
ユーザは更に、ユーザの所見をより簡潔であるがよりコンパクトにまとめた他の画像を生成することもできる。
【０１２５】
ユーザは、３次元モデル化された血管構造の２次元投影を用いることができ、これは、１つの一意の図ですべての情報を提示されるという利点を有する。
【０１２６】
又は、ユーザは、デジタル報告書においてユーザが回転させる注釈付き３次元樹を用いることができる。
【０１２７】
一例では、デジタル報告書における３次元モデル化された血管構造は、モデルと一緒に参照された血管造影図のアンギュレーションまで自動的に回転し、３次元モデルと共にデジタル報告書において様々な血管造影図が見られるにつれて変化する。このようにすると、報告書を参考にする臨床医が、３次元モデル化された血管構造を自由に回転させることができ、例えばフォローアップ検査の場合に、臨床医が、これらの動脈の３次元幾何学的形状を理解するのに役立つ。
【０１２８】
全体的に、本発明は、図への記入をより分かり易くし、また、あまり面倒でないようにし、後に報告書を読む他の臨床医への情報伝達をよりスムーズにする。
【０１２９】
図８は、詳細なワークフローとして、血管構造の合成表現を提供する上記方法を示す。
【０１３０】
別の例示的な実施形態では、上記実施形態のうちの１つによる方法のステップを適切なシステム上で実行するように構成されていることを特徴とするコンピュータプログラム又はコンピュータプログラム要素が提供される。
【０１３１】
したがって、コンピュータプログラム要素は、コンピュータユニットに記憶されていてもよい。当該コンピュータユニットも、一実施形態の一部であってよい。当該コンピュータユニットは、上記方法のステップを行うか又はステップの実行を誘導する。更に、コンピュータユニットは、上記装置のコンポーネントを動作させる。コンピュータユニットは、自動的に動作するか及び／又はユーザの命令を実行する。コンピュータプログラムが、データプロセッサの作業メモリにロードされてよい。したがって、データプロセッサは、上記実施形態のうちの１つによる方法を実行する能力を備えている。
【０１３２】
本発明のこの例示的な実施形態は、最初から本発明を使用するコンピュータプログラムと、アップデートによって、既存のプログラムを、本発明を使用するプログラムに変えるコンピュータプログラムとの両方を対象とする。
【０１３３】
更に、コンピュータプログラム要素は、上記方法の例示的な実施形態の手順を満たすすべての必要なステップを提供することができる。
【０１３４】
本発明の更なる例示的な実施形態によれば、ＣＤ−ＲＯＭといったコンピュータ可読媒体が提示される。コンピュータ可読媒体に、コンピュータプログラム要素が記憶され、コンピュータプログラム要素は上記セクションに説明されている。
【０１３５】
コンピュータプログラムは、他のハードウェアと共に又は他のハードウェアの一部として供給される光学記憶媒体又は固体媒体といった適切な媒体上に記憶される及び／又は分散配置されるが、インターネット又は他の有線若しくは無線通信システムを介した形態といった他の形態で分配されてもよい。
【０１３６】
しかし、コンピュータプログラムは、ワールドワイドウェブといったネットワーク上に提示され、当該ネットワークからデータプロセッサの作業メモリにダウンロードされてもよい。本発明の更なる例示的な実施形態によれば、ダウンロード用にコンピュータプログラム要素を利用可能にする媒体が提供され、当該コンピュータプログラム要素は、本発明の上記実施形態のうちの１つによる方法を行うように構成される。
【０１３７】
なお、本発明の実施形態は、様々な主題を参照して説明されている。具体的には、方法タイプのクレームを参照して説明される実施形態もあれば、デバイスタイプのクレームを参照して説明される実施形態もある。しかし、当業者であれば、上記及び以下の説明から、特に明記されない限り、１つのタイプの主題に属する特徴の任意の組み合わせに加えて、様々な主題に関連する特徴の任意の組み合わせも、本願によって開示されていると見なされると理解できるであろう。しかし、すべての特徴は、特徴の単なる足し合わせ以上の相乗効果を提供する限り、組み合わされることが可能である。
【０１３８】
本発明は、図面及び上記説明において詳細に例示され、説明されたが、当該例示及び説明は、例示的に見なされるべきであり、限定的に見なされるべきではない。本発明は、開示される実施形態に限定されない。開示された実施形態の他の変形態様は、図面、開示内容及び従属請求項の検討から、請求項に係る発明を実施する当業者によって理解され、実施される。
【０１３９】
請求項において、「含む」との用語は、他の要素又はステップを排除するものではなく、また、「ａ」又は「ａｎ」との不定冠詞も、複数形を排除するものではない。単一のプロセッサ又は他のユニットが、請求項に引用される幾つかのアイテムの機能を果たしてもよい。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
2019500156.tif 000003
【図２】
2019500156.tif 000004
【図３】
2019500156.tif 000005
【図４】
2019500156.tif 000006
【図５】
2019500156.tif 000007
【図６】
2019500156.tif 000008
【図７】
2019500156.tif 000009
【図８】
2019500156.tif 000010
【国際調査報告】
2019500156.tif 000011
2019500156.tif 000012
2019500156.tif 000013